(57)【要約】      （修正有）【課題】自動的にインターネットおよび／またはリモート・サーバの放送するファイルと照合し、放送の内容を更新する必要があるか否かを判定できる放送装置を提供する。【解決手段】ＣＦカード、ＳＤカード、またはハードディスクを含む記憶装置３００と、ビデオ／オーディオ・デコーダ・ユニット４００と、ＨＴＴＰサーバ、ＦＴＰサーバ、およびＦＴＰクライエントを含むインターネット・プロセッサ・ユニット５００と、伝送された前記ビデオ／オーディオ・データをビデオ／オーディオ・デコーダ・ユニットでデコードし、画像および音声データを表示する表示板７００と、マイクロプロセッサに内蔵され、設定された時間に、自動的にリモートＦＴＰサーバのビデオ／オーディオ・データファイルと前記記憶装置に格納されたビデオ／オーディオ・データファイルとを照合し、インターセプトして更新するか否かを判定する、ファイル更新判定装置６００と、を含む、放送装置。【選択図】図２
0003143286.tif 000002
【実用新案登録請求の範囲】
【請求項１】
３２ビットＲＩＳＣマイクロプロセッサと、リアルタイムオペレーティングシステムとを含み、放送内容を更新するか否かを判定する放送装置において、
ＣＦカード、ＳＤカード、またはハードディスクを含む記憶装置と、
ビデオ／オーディオ・データのフォーマットをデコードするビデオ／オーディオ・デコーダ・ユニットと、
ＨＴＴＰサーバ、ＦＴＰサーバ、およびＦＴＰクライエントを含むインターネット・プロセッサ・ユニットと、
前記インターネット・プロセッサ・ユニットを介して伝送された前記ビデオ／オーディオ・データを前記ビデオ／オーディオ・デコーダ・ユニットでデコードし、画像および音声データの内容を表示する表示板と、
前記マイクロプロセッサに内蔵され、設定された時間に、自動的にリモートＦＴＰサーバのビデオ／オーディオ・データファイルと前記記憶装置に格納されたビデオ／オーディオ・データファイルとを照合し、インターセプトして更新するか否かを判定する、ファイル更新判定装置と、を含む、放送装置。
【請求項２】
前記ファイル更新判定装置は、前記リモートＦＴＰサーバのデータファイル名と、前記記憶装置に格納されたデータファイルのファイル名とのファイル名の照合結果に基づいてファイル更新を判定する、請求項１に記載の放送装置。
【請求項３】
前記ファイル更新判定装置は、前記リモートＦＴＰサーバのデータファイルと、前記記憶装置に格納されたデータファイルとのファイルサイズの大小比較結果と、前記ファイル名の照合結果とに基づいてファイル更新を判定する、請求項２に記載の放送装置。
【請求項４】
前記ファイル更新判定装置は、前記リモートＦＴＰサーバのデータファイルと、前記記憶装置に格納されたデータファイルとのファイル設定時間の照合結果と、前記ファイル名の照合結果と、前記ファイルサイズの大小比較結果とに基づいてファイル更新を判定する、請求項３に記載の放送装置。
【請求項５】
前記ファイル更新判定装置の判定手順は、
リモートＦＴＰサーバのアドレスを入力し、
自動的に使用者のＩＤ、コード、および指定ルートをキー・インし、
前記ＦＴＰサーバのルート上にあるビデオ／オーディオ・データファイル名と、前記記憶装置のＣＦカードのファイル名を照合し、
前記ＦＴＰサーバのルート上にあるビデオ／オーディオ・データファイル名と、前記記憶装置のＣＦカードのファイル名とが異なる場合、前記ＦＴＰサーバのルート上にあるビデオ／オーディオ・データファイルが更新されたものと見なし、自動的に前記記憶装置の前記ＣＦカード内のビデオ／オーディオ・データファイルを削除し、自動的に前記ＦＴＰサーバのルート上にある、ファイル名の異なるビデオ／オーディオ・データファイルをインターセプトし、更新後に画像および音声データの内容を繰り返し放送し、
あるいは、前記ＦＴＰサーバのルート上にあるビデオ／オーディオ・データファイル名と、前記記憶装置のＣＦカードのファイル名とが一致した場合、さらに前記ＦＴＰサーバのルート上にあるビデオ／オーディオ・データファイルの更新時間と、前記記憶装置のＣＦカードのファイルの更新時間とを照合し、更新されたかを確認し、更新されていない場合は、インターセプトせず、前記ＦＴＰサーバのルート上にあるビデオ／オーディオ・データファイルの時間の方が新しい場合、前記ＦＴＰサーバのルート上にあるビデオ／オーディオ・データファイルは更新されたと見なし、自動的に前記記憶装置のＣＦカード内のビデオ／オーディオ・データファイルを削除し、また自動的に前記ＦＴＰサーバのルート上にあるファイル名の異なるビデオ／オーディオ・データファイルをインターセプトし、その後、自動的に更新後の画像および音声データの内容を繰り返し放送する、請求項１に記載の放送装置。
【考案の詳細な説明】
【技術分野】
【０００１】
本考案は、放送装置に関するもので、特に公共交通機関の駅のテレビ画面、ビル階段踊り場の広告、あるいは商店街などに設置され、放送内容を更新するか否かを判定することができる放送装置に関するものである。
【背景技術】
【０００２】
マス・メディア技術の発展に伴って、広告情報の伝達は、今やテレビ、インターネットのみに限られなくなった。高性能の放送機器の製品化によって、人々が集まる場所、例えば公共交通機関の駅、百貨店、オフイス・ビルなどに放送機器を備え、常時画像や商品の広告を放映することが盛んになってきている。
【０００３】
従来の広告放送装置は、図１に示すように構成されている。広告放送装置１は、主としてケース本体１０と、その中に収納されたＤＶＤやＶＣＤの放送機器１２と、放送機器１２に接続された表示板１３を含む。
【０００４】
従来の広告放送装置１のＤＶＤまたはＶＣＤは、手作業で逐一取り替えなければならず、コストが高くつく。また、機械的なＣＤ盤を取り付けているので故障率も高い。
【０００５】
このような従来技術の問題に鑑み、これを改善するため、長期に渡る苦心研鑽の結果、本願の考案者は遂に本考案に係る、放送内容を更新するか否かを判定できる放送装置を開発した。
【考案の開示】
【考案が解決しようとする課題】
【０００６】
本考案の目的は、所定の時間に自動的にインターネットおよび／またはリモート・サーバの放送するファイルと照合し、放送の内容を更新する必要があるか否かを判定できる放送装置を提供することにある。
【課題を解決するための手段】
【０００７】
上記の目的を達成するため、本考案では、３２ビットＲＩＳＣマイクロプロセッサと、リアルタイムオペレーティングシステムとを含み、放送内容を更新するか否かを判定する放送装置において、ＣＦカード、ＳＤカード、またはハードディスクを含む記憶装置と、
ビデオ／オーディオ・データのフォーマットをデコードするビデオ／オーディオ・デコーダ・ユニットと、ＨＴＴＰサーバ、ＦＴＰサーバ、およびＦＴＰクライエントを含むインターネット・プロセッサ・ユニットと、インターネット・プロセッサ・ユニットを介して伝送された前記ビデオ／オーディオ・データをビデオ／オーディオ・デコーダ・ユニットでデコードし、画像および音声データを表示する表示板と、マイクロプロセッサに内蔵され、設定された時間に、自動的にリモートＦＴＰサーバのビデオ／オーディオ・データファイルと前記記憶装置に格納されたビデオ／オーディオ・データファイルとを照合し、インターセプトして更新するか否かを判定する、ファイル更新判定装置と、を含む、放送装置を提供する。
【０００８】
本考案に係る放送装置が、自動的に画像および音声データを更新する時間は、グリニッジ標準時を基準とする。したがって、世界各地の時差を避けることができ、世界のどこの国あるいは地方においても、グリニッジ標準時を基準とすることにより、定められた時間に同じ内容の画像および音声を放送する。
【０００９】
本考案に係る放送装置の具体的判定方式は、以下のようなものである。設定された所定の時点において、ファイル更新判定装置は、インターネット・ルートからサーバのファイルアドレスを通じて、サーバにストアしたファイル名と、記憶装置内部のファイル名を照合する。もしファイル名とファイルの大きさが同じ場合はインターセプト（傍受）せず、もし、ファイル名が同じであり、記憶装置内部のファイルがインターネット・ルートのサーバでのファイルより小さい場合は、以前にインターネット通信の中断があったものと見なし、ＦＴＰで続けて伝送してファイルを更新する必要あるものと見なす。もし、ファイル名が異なる場合は、ファイルは新しいものと見なし、インターセプトして更新する。よって、毎日、所定の時間に最新のビデオ／オーディオ・データファイルが取得でき、自動的に最新の画像と音声内容が放送できることになる。
【００１０】
本考案の放送装置の詳細な構成、応用原理、作用や効果に関しては、明細書に添付された図面と、本考案の実施形態の内容の説明とを参照されたい。
【考案の効果】
【００１１】
１．以上述べたように、本考案に係る放送装置は、そのビデオ／オーディオ・データファイルの内容を毎日、所定の時間に、自動的にＦＴＰサーバから更新でき、接続された広告装置が放送するビデオ／オーディオ・データファイルが、最新であることを確保できるのみならず、世界各地の広告装置で、同じビデオ／オーディオ・データの内容を放送できることが保証されるのである。
２．本考案に係る放送装置の３２ビットＲＩＳＣ・インターネット・プロセッサには、ＮＩＰインターネット・タイム・サーバが搭載されていて、サービス・ネットワークとの接続により、正確なグリニッジ標準時を取得して、時間の校正をすることができる。
３．本考案に係る放送装置の３２ビットＲＩＳＣ・インターネット・プロセッサは、無線のインターネット・モジュールを通じて、無線インターネットに接続できる。
【考案を実施するための最良の形態】
【００１２】
本考案に係る放送内容を更新するか否かを判定できる放送装置は、３２ビットＲＩＳＣマイクロプロセッサ１００と、リアルタイムオペレーティングシステム２００から構成される。その中には、ＣＦカード、ＳＤカード、またはハードディスクを含む記憶装置３００と、ビデオ／オーディオ・データのフォーマットをデコードするビデオ／オーディオ・デコーダ・ユニット４００と、ＨＴＴＰサーバ（ウェブ・ページ・サーバ）と、ＦＴＰサーバ（ファイル伝送サーバ）とＦＴＰクライエント（ファイルを自動的にインターセプトする）を含むインターネット・プロセッサ・ユニット５００と、マイクロプロセッサに内蔵され、設定された時間に自動的にリモートＦＴＰサーバのビデオ／オーディオと照合し、インターセプトして更新するか否かを決定する、ファイル更新判定装置６００と、伝送されたファイルのビデオ／オーディオ・データの内容を表示する表示板７００とを含む。
【００１３】
ビデオ／オーディオ・デコーダ・ユニット４００は、主にディジタルの画像と音声のデコードおよび放送を実行し、その中に含まれたビデオ／オーディオ・デコーダ（Ｖｉｄｅｏ／ａｕｄｉｏ  ｄｅｃｏｄｅｒ）は主に、ディジタル・マス・メデイア・ファイル（Ｈ２６４、ＷＭＶ９、ＭＰＥＧ１、ＭＰＥＧ２、ＭＰＥＧ４、ＷＭＶ、ＭＰ３、ＷＭＡ、ＭＪＰＥＧ、ＪＰＥＧなどのフォーマット）のデコードと放送を実行し、出力装置（Ｓ−ＶＩＤＥＯ、ＶＩＤＥＯ／ＡＵＤＩＯ／ＶＧＡ／ＤＶＩ、ＬＣＤ板などを含む）に接続されるものである。
【００１４】
インターネット・プロセッサ・ユニット５００は主に、インターネット伝送とインターネット制御を実行する。本考案では、３２ビットＲＩＳＣマイクロプロセッサ内に高機能な組み込み制御システム（Ｌｉｎｕｘ、ｕＣｌｉｎｕｘ  ＯＳなど）を構成しているので、インターネットに関連するプロトコルを使用でき、その中にはＨＴＴＰサーバ（ＨＴＭＬインタフェースを介して広告機器の始動と停止の制御）やＦＴＰサーバ（ＦＴＰファイル通信プロトコルを介して広告内容の自動更新の達成）を含んでいる。
【００１５】
記憶装置３００には、ハードディスクと接続できるＩＤＥインタフェースと、ＣＦ、ＳＤ、ＭＭＣ、ＸＤなどのメモリカードと接続できるＵＳＢカード・リーダーのインタフェースが含まれている。
【００１６】
マイクロプロセッサ１００と記憶装置３００との間は、ＩＤＥまたはＵＳＢを通じて接続され、マイクロプロセッサ１００は、ＲＪ４５インターネット線を経由して、リモートの制御端末およびサービス・ネットワークに接続される。
【００１７】
ファイル更新判定装置６００は、ソフトウェアのプログラムで書かれたもので、分析と照合する機能を有している。グリニッジ標準時の設定時間に、インターネットを通じてリモートのサーバと互いに照合する。その判定動作手順は以下の如くである。
【００１８】
ファイル更新判定装置の判定手順は、リモートＦＴＰサーバのアドレスを入力し、自動的に使用者のＩＤ、コード、および指定ルートをキー・イン（ｋｅｙ  ｉｎ）し、ＦＴＰサーバのルート上にあるビデオ／オーディオ・データファイル名と、記憶装置のメモリカード（ＣＦ／ＳＤ／ＨＤＤ）のファイル名を照合し、ＦＴＰサーバのルート上にあるビデオ／オーディオ・データファイル名と、記憶装置のメモリカードのファイル名とが異なる場合、ＦＴＰサーバのルート上にあるビデオ／オーディオ・データファイルが既に更新されたものと見なし、自動的に記憶装置のメモリカード内のビデオ／オーディオ・データファイルを削除し、自動的にＦＴＰサーバのルート上にある、ファイル名の異なるビデオ／オーディオ・データファイルをインターセプトし、更新後に画像および音声データの内容を繰り返し放送する。あるいは、ＦＴＰサーバのルート上にあるビデオ／オーディオ・データファイル名と、記憶装置のメモリカードのファイル名とが一致し、ファイルサイズも同じである場合は、インターセプトしない。また、ファイル名が一致し、ルートからサーバまでのファイルよりメモリカード内のファイルが小さい場合は、インターネット通信において中断があり、完全にインターセプトされていないものと見なし、ＦＴＰで続けて伝送し、完全なファイルをインターセプトする。また、ＦＴＰサーバのルート上にあるビデオ／オーディオ・データファイルの更新時間と、記憶装置のメモリカードのファイルの更新時間とを照合し、更新されたかを確認し、更新されていない場合は、インターセプトしない。ＦＴＰサーバのルート上にあるビデオ／オーディオ・データファイルの時間の方が新しい場合、ＦＴＰサーバのルート上にあるビデオ／オーディオ・データファイルは更新されたものと見なし、自動的に前記記憶装置のメモリカード内のビデオ／オーディオ・データファイルを削除し、また自動的に前記ＦＴＰサーバのルート上にあるファイル名の異なるビデオ／オーディオ・データファイルをインターセプトし、その後、自動的に更新後の画像および音声データの内容を繰り返し放送する。
【００１９】
以上詳細な説明は、本考案の実行可能な実施形態についての例示的な説明である。但し、この実施形態は、本考案の実用新案登録請求の範囲を制限するものではなく、凡そ本考案の技術精神を逸脱せずになされたものと同等の効果の実施または変更は、全て実用新案登録請求の範囲内に含まれるものとする。
【図面の簡単な説明】
【００２０】
【図１】図１は、従来の広告放送機の概略図である。
【図２】図２は、本考案に係る広告放送装置のブロック図である。
【符号の説明】
【００２１】
１  広告放送機、
１０  ケース本体、
１１  ＤＶＤまたはＶＣＤ、
１２  放送機、
１３  表示板、
１００  ３２ビットＲＩＳＣマイクロプロセッサ、
２００  リアルタイムオペレーティングシステム、
３００  記憶装置、
４００  ビデオ／オーディオ・デコーダ・ユニット、
５００  インターネット・プロセッサ・ユニット、
６００  ファイル更新判定装置、
７００  表示板。
【図１】
0003143286.tif 000003
【図２】
0003143286.tif 000004